(57)【特許請求の範囲】
【請求項１】
ステップと、このステップを揺動させる支点と、係合部が設けられ、前記ステップに対して遠近方向に移動可能に支持されると共に前記支点を中心に前記ステップを揺動させる把持部材と、前記係合部と係合する被係合部を有する固定部材とを備え、前記把持部材は、前記把持部材を前記ステップに対して遠方向に移動して前記係合部が前記被係合部から外れたときに、前記ステップの揺動動作が可能に構成したことを特徴とするステップ装置。
【発明の詳細な説明】
【０００１】
【発明の属する技術分野】
本発明は、多色刷印刷機などの印刷ユニット間に開閉自在に支架されて下方の印刷胴等を覆いインキ替作業時等には足場となり印刷胴の保守時等には開かれるステップ装置に関する。
【０００２】
【従来の技術】
多色刷印刷機の印刷ユニット間には、下方の印刷胴等を覆う開閉自在なステップが左右のフレーム側に支持されて設けられており、インキ替時や上部のローラ類の保守，点検時等には、このステップを足場にして作業を行う。また、ステップ下方の印刷胴の保守，清掃時等にはこのステップを開くか取り除くかして作業が行われる。
【０００３】
この種ステップ装置としては、従来、実開平５−２６３６６号公報に開示されたものがある。これによれば、ステップ板の閉塞時には、図６の二点鎖線で示すように、ステップ板１００にホルダ１０１を介して固着されたピン１０２が、フレーム１０３に固着されたブラケット１０４のＵ字溝１０５に係合されており、またブラケット１０４に取り付けられたノブ付きのピン１０６は、圧縮コイルばね１０７の付勢力によりホルダ１０１の円弧状溝１０８の終端部にその先端部を係合されていて、ステップ板１００は持ち上がりを規制されている。尚、図中１０９はノブ付きのピン１０６の先端部をＵ字溝１０５に案内する斜面部、１１０は把手である。
【０００４】
この状態から例えば図中左側（排紙側）を開放しようとしてステップ板１００を開く場合、図７に示すように、作業者は機台の操作側に立ってノブ付きのピン１０６のノブを把持し、ピン１０６を圧縮コイルばね１０７の付勢力に抗し手前に引くと、ピン１０６の持ち上がり規制が解かれるので、把手１１０を把持し、ピン１０２を支点にしてステップ板１００を回動させて開く（図６の実線参照）。
【０００５】
ステップ板１００が所定角度開くと、ピン１０６が円弧状溝１０８から外れてホルダ１０１の端面上に圧縮コイルばね１０７の付勢力により突出して、ステップ板１００の回動を規制する。これにより、ステップ装置の図中左側（排紙側）が全面的に開放されるので、保守作業等を容易に実施することができる。
【０００６】
保守作業等を終わってステップ板を閉める場合は、ノブ付きのピン１０６のノブを把持してピン１０６を圧縮コイルばね１０７の付勢力に抗し手前へ引いてその先端部を円弧状溝１０８に係入させてステップ板１００を閉めると、閉め終わったところでピン１０６の先端部が円弧状溝１０８の終端部へ滑り込んでこれと係合するので、ステップ板１００は持ち上がりを規制される。
【０００７】
このようにして、１枚のステップ板１００で図中左右の作業空間部のいずれかを選択的に開放することができるので、構造が簡素化されると共に作業スペースが拡大されて作業性が向上する。
【０００８】
【発明が解決しようとする課題】
ところで、上述した従来のステップ装置にあっては、特に、ステップ板１００を開く時には、一方の手で把手１１０を把持しつつ他方の手でノブ付きのピン１０６のノブを把持して手前に引っ張る操作が必要となるため、両手操作で作業者にかかる負担が大きいという不具合があった。また、ステップ板１００の開閉支点であるピン１０２が、上面開放のＵ字溝１０５に係合して、特にステップ板１００を開く時には、Ｕ字溝１０５のガタ分だけガタつくことがあり、操作が不安定となる問題点もあった。
【０００９】
そこで、本発明の目的は、片手操作で開くことができて作業者の負担が軽減できると共に開閉支点のガタつきを無くして安定した操作が行えるステップ装置を提供することにある。
【００１０】
【課題を解決するための手段】
上記目的を達成するための本発明の構成は、ステップと、このステップを揺動させる支点と、係合部が設けられ、前記ステップに対して遠近方向に移動可能に支持されると共に前記支点を中心に前記ステップを揺動させる把持部材と、前記係合部と係合する被係合部を有する固定部材とを備え、前記把持部材は、前記把持部材を前記ステップに対して遠方向に移動して前記係合部が前記被係合部から外れたときに、前記ステップの揺動動作が可能に構成したことを特徴とする。
【００１１】
【発明の実施の形態】
以下、本発明に係るステップ装置を実施例により図面を用いて詳細に説明する。
【００１２】
［実施例］
図１は本発明の一実施例を示すステップ装置の正面図、図２は同じく平面図、図３は同じく回動支点部の拡大平面図、図４はホルダの構造説明図、図５は開時の把手部の作用状態図である。
【００１３】
図１及び図２に示すように、印刷機の原動側にフレーム１，２が設けられ、このフレーム間にはブラケット３，４を介して補助フレーム５が架設される。また、操作側にフレーム６，７が設けられる。本実施例の場合、隣接する印刷ユニットのうち、フレーム１，６を備えた方が機台の排紙側であり、また、フレーム２，７を設けた方が機台の給紙側である。
【００１４】
前記原動側の補助フレーム５と操作側のフレーム６，７には、それぞれ形状の異なるブラケット（固定部材）８〜１１がボルト等で固設され、これらブラケット８〜１１上には方形状のステップ１２が、その四隅にボルト等で固設したホルダ１３〜１６を介して、排紙側と給紙側の何れからも選択的に開閉可能に載架されている。
【００１５】
即ち、前記原動側のブラケット８，９には上面開放のＵ字溝１７が形成され、これらＵ字溝１７に、ステップ１２の原動側のホルダ１３，１４に突設したピン（支点）１８が回動（揺動）自在に嵌合支持されている。
【００１６】
一方、操作側のブラケット１０，１１には、図３及び図５に示すように、上面開放の溝部としてのＵ字溝１９がその上面部の内側に形成されると共に、上面閉塞の溝部としての係合孔（被係合部）２０がその外側面上部に前記Ｕ字溝１９と回動（揺動）中心線を一致させて形成される。また、操作側のブラケット１０，１１の側面部にはノブ付きピン２１がブラケット２２を介して貫通支持されると共に、圧縮コイルばね２３により常時内方に付勢されてその先端部がブラケット内側面から所定寸法突出されている。
【００１７】
そして、操作側のホルダ１５，１６には、図３及び図４に示すように、前記Ｕ字溝１９に回動（揺動）自在に嵌合支持されるピン（支点）２４がステップ１２からの突出板部に横方向に貫設されると共に前記ノブ付きピン２１の先端部がステップ１２の全開時に係合してステップ１２を全開保持するためのＵ字状の係合溝２５が前記突出板部の上面部に形成される。また、操作側のホルダ１５，１６のステップ１２への取付板部には、一対の案内孔２６ａ，２６ｂが横方向に穿設され、後述する把持部材としての把手３０の一対の脚部３１ａ，３１ｂが摺動自在に貫通支持されている。尚、図４中２７は前記ノブ付きピン２１の先端部を係合溝２５に案内する斜面部である。
【００１８】
前記把手３０には、前述したブラケット１０，１１の係合孔２０に回動（揺動）自在に係合される係合部としてのピン（支点）３４が、ブラケット１０，１１の外側面との対向面部に突設される（図５参照）。また、前記一対の案内孔２６ａ，２６ｂに支持される一対の脚部３１ａ，３１ｂのうち、前記ステップ１２の端部寄りの脚部３１ｂがステップ１２の内方側の脚部３１ａより長く形成され、そのステップ１２の端部寄りの脚部３１ｂの先端部に設けたスプリング受け３２と前記ホルダ１５，１６の取付板部内側面との間には圧縮コイルばね３３が巻装される（図３参照）。従って、把手３０全体は前記圧縮コイルばね３３により常時内方に付勢され、前記係合孔２０に対するピン（支点）３４の係合状態が保持される。
【００１９】
尚、図１中３５はホルダ１５，１６と係合してステップ１２の開放時の反転を阻止するストッパである。
【００２０】
このように構成されるため、次に、ステップ１２の動作を説明する。図１に実線で示すステップ１２の閉塞時には、図３に示すように、ステップ１２の開閉支点となるピン２４（ホルダ１５，１６側）が操作側のブラケット１０，１１のＵ字溝１９に嵌合支持されており、また、同じくステップ１２の開閉支点となるピン３４（把手３０側）が、圧縮コイルばね３３の付勢力により操作側のブラケット１０，１１の係合孔２０に係合されていて、ステップ１２は持ち上がりを規制されている。
【００２１】
この状態から例えば図１の向かって右側である給紙側を開放しようとしてステップ１２を開く場合、図５に示すように、作業者は機台の操作側に立って把手３０を把持して圧縮コイルばね３３の付勢力に抗し手前に引くと、ピン３４が係合孔２０から外れて持ち上がり規制が解かれるので、そのまま把手３０を把持して、図１の向かって左側である排紙側のピン２４及び３４を支点にしてステップ１２を回動させて開く。
【００２２】
この時、従来例のようにノブ付きピン２１（従来例ではノブ付きのピン１０６）等の操作をする必要がないので、片手操作が可能となり、作業者の負担が軽減される。また、回動支点部においては、ピン２４と同一回動中心線上にあるピン３４が上面閉塞の係合孔２０に係合しているので、前記ピン２４が嵌合支持される上面開放のＵ字溝１９にガタがあっても、ガタつくことがなく安定した開閉動作が奏される。
【００２３】
ステップ１２が所定角度開くと、排紙側のホルダ１５の係合溝２５にノブ付きピン２１の先端部が、斜面部２７に案内されて、圧縮コイルばね２３の付勢力により内方に突出して係合し、ステップ板１２の閉方向への回動を規制する。これにより、ステップ装置の図中右側（給紙側）が全面的に開放されるので（図１参照）、保守作業等を容易に実施することができる。
【００２４】
保守作業等を終わってステップ１２を閉める場合は、作業者は機台の操作側に立って、一方の手で把手３０を把持した状態で他方の手でノブ付きピン２１のノブを把持してピン２１を圧縮コイルばね２３の付勢力に抗し手前へ引いてその先端部を係合溝２５から外した後、ステップ板１２を閉める。そして、閉め終わったところでピン２４がＵ字溝１９に嵌合支持され、同時に前記把手３０から手を放すとピン３４が圧縮コイルばね３３の付勢力で内方に移動して係合孔２０に係合するので、ステップ板１２は持ち上がりを規制される。
【００２５】
このようにして、本実施例では、閉める時は両手操作となるが、開ける時は片手操作が可能であるので、両方両手操作となる従来例より、作業者の負担が半減される。
【００２６】
尚、本発明は上記実施例に限定されず、本発明の要旨を逸脱しない範囲で各種変更が可能であることはいうまでもない。
【００２７】
例えば上記実施例において、フレーム側に孔部（被係合部）を設けた例を開示したが、必ずしも孔である必要はない。
【００２８】
また、上記実施例において、ステップ側に支点を固定し、フレーム側に上面開放の溝を設けた例を開示したが、ステップ側に溝を形成し、フレーム側に支点を設けるようにしても良い。
【００２９】
また、上記実施例において、把持部材に突起部（係合部）、フレーム側に孔部（被係合部）を設けた例を開示したが、把持部材に孔部、フレーム側に突起部を設けるようにしても良い。
【００３０】
更に、上記実施例において、係合孔を上面開口の溝部に形成し、この溝部の上面開口をブラケットで塞ぐよう構成したり、把手の両脚部を圧縮コイルばねで付勢しても良い。
【００３１】
【発明の効果】
以上説明したように本発明によれば、ステップと、このステップを揺動させる支点と、係合部が設けられ、前記ステップに対して遠近方向に移動可能に支持されると共に前記支点を中心に前記ステップを揺動させる把持部材と、前記係合部と係合する被係合部を有する固定部材とを備え、前記把持部材は、前記把持部材を前記ステップに対して遠方向に移動して前記係合部が前記被係合部から外れたときに、前記ステップの揺動動作が可能に構成したことを特徴とするので、片手操作で開くことができて作業者の負担が軽減できると共に開閉支点のガタつきを無くして安定した操作が行える。
【図面の簡単な説明】
【図１】本発明の一実施例を示すステップ装置の正面図である。
【図２】同じく平面図である。
【図３】同じく回動支点部の拡大平面図である。
【図４】同じくホルダの構造説明図である。
【図５】同じく開時の把手部の作用状態図である。
【図６】従来例の回動支点部の説明図である。
【図７】同じく開時の操作部の説明図である。
【符号の説明】
１，２  原動側のフレーム
３，４  ブラケット
５  補助フレーム
６，７  操作側のフレーム
８〜１１  ブラケット
１２  ステップ
１３〜１６  ホルダ
１７  Ｕ字溝
１８  ピン
１９  Ｕ字溝
２０  係合孔
２１  ノブ付きピン
２２  ブラケット
２３  圧縮コイルばね
２４  ピン
２５  係合溝
２６ａ，２６ｂ  案内孔
２７  斜面部
３０  把手
３１ａ，３１ｂ  脚部
３２  スプリング受け
３３  圧縮コイルばね
３４  ピン
３５  ストッパ
【図１】
0004426061.tif 000002
【図２】
0004426061.tif 000003
【図３】
0004426061.tif 000004
【図４】
0004426061.tif 000005
【図５】
0004426061.tif 000006
【図６】
0004426061.tif 000007
【図７】
0004426061.tif 000008